(57)【特許請求の範囲】
【請求項１】
先端部と基端部を有する複数の鍵、該複数の鍵を支持する共通支持部、及び前記各鍵の基端部に設けられ当該鍵と前記共通支持部同士を接続する接続部を有し、前記複数の鍵が前記接続部を介して前記共通支持部に該共通支持部に対して押鍵方向及び鍵並び方向に揺動自在に接続された状態で、且つ前記先端部にいくほど互いの間隙を拡開して前記接続部及び前記共通支持部と一体成形されて構成された少なくとも１つの鍵ユニットと、
該鍵ユニットが装着されたフレーム部材と、
前記鍵と前記フレーム部材に設けられ、前記接続部を変形させることにより前記複数の鍵を互いに平行にして前記鍵ユニットを前記フレーム部材に係合させる係合手段とを備えたことを特徴とする鍵盤装置。
【請求項２】
前記係合手段は、前記フレーム部材に設けられたガイド手段と、前記各鍵に設けられ前記ガイド手段の対応するものと係合する被ガイド手段とから成り、前記複数の鍵は、前記ガイド手段と前記被ガイド手段との係合により互いに平行にされることを特徴とする請求項１記載の鍵盤装置。
【請求項３】
前記ガイド手段は、前記被ガイド手段を介して押鍵時における前記複数の鍵の鍵並び方向への揺動を規制するように構成されたことを特徴とする請求項２記載の鍵盤装置。
【請求項４】
前記ガイド手段と前記被ガイド手段とが前記複数の鍵が互いに平行にされるように面接触状態で当接可能であることを特徴とする請求項２または３記載の鍵盤装置。
【請求項５】
前記ガイド手段は、前記フレーム部材に前記各鍵に対応して設けられ、前記鍵ユニットが前記フレーム部材に装着されたときに該鍵の長手方向の軸に平行に延び且つ互いに間隔をおいて間に溝を画成する１対の壁部から成り、前記被ガイド手段は、前記各鍵に設けられ該鍵の長手方向の軸に平行に延びる両側面を有する突起部であって、前記ガイド手段の対応するものの前記１対の壁部間の溝に挿入された突起部から成ることを特徴とする請求項２〜４のいずれか１項に記載の鍵盤装置。
【請求項６】
前記鍵ユニットの前記接続部は、前記複数の鍵が先端部にいくほど互いの間隙が拡開されるように鍵並び方向に屈曲していることを特徴とする請求項１〜５のいずれか１項に記載の鍵盤装置。
【請求項７】
前記接続部は、前記共通支持部側に位置して、前記鍵の対応するものを鍵並び方向に揺動自在に屈曲可能な垂直部と、前記鍵側に位置して、前記対応する鍵を押鍵方向に揺動自在に屈曲可能な水平部とから成ることを特徴とする請求項１〜６のいずれか１項に記載の鍵盤装置。
【請求項８】
前記各鍵は側面を有し、前記被ガイド手段は、前記各鍵に設けられ前記ガイド手段の対応するものと係合可能な第１の突起部と、該第１の突起部から鍵並び方向に、鍵の側面から外側に突設した第２の突起部とから成ることを特徴とする請求項２〜５のいずれか１項に記載の鍵盤装置。
【請求項９】
前記フレーム部材側に設けられたストッパを含み、前記第２の突起部は、前記各鍵の非押鍵時に前記ストッパに当接して前記各鍵の非押鍵時の極端位置を規制する係止面を有することを特徴とする請求項８記載の鍵盤装置。
【請求項１０】
前記ガイド手段は、前記フレーム部材に前記各鍵に対応して設けられ、前記鍵ユニットが前記フレーム部材に装着されたときに該鍵の長手方向の軸に平行に延び且つ互いに間隔をおいて間に溝を画成する１対の壁部から成り、前記被ガイド手段は、前記各鍵に設けられ該鍵の長手方向の軸に平行に延びる両側面を有する突起部であって、前記ガイド手段の対応するものの前記１対の壁部間の溝に前記両側面が前記ガイド手段の一対の壁部で狭持されて挿入された突起部から成ることを特徴とする請求項２〜４のいずれか１項に記載の鍵盤装置。
【発明の詳細な説明】
【０００１】
【発明の属する技術分野】
本発明は、金型部材により一体成形される鍵ユニットをフレーム部に組付けて成る鍵盤装置に関する。
【０００２】
【従来の技術】
従来、電子オルガン等の鍵盤楽器に用いられる鍵盤装置には、ケースの一部を成すフレーム部に鍵ユニットを組付けて成るものが知られ、この鍵ユニットには、製造工程簡単化のため、複数の鍵が接続部を介して共通支持部に接続され一体成形されたものが知られている。しかるに、この種の鍵盤装置では特に、鍵ユニットにおける各鍵は僅かな隙間を有して隣接しているため、一体成形に用いる金型部材の上記隙間に相当する部分（リブ部）の肉厚が薄くなり、金型部材の強度が弱くなるだけでなくその製造も容易でない。従って、例えばオクターブの範囲において白鍵ユニットを２つに分割して別々に成形した後、これらを組み合わせる等の工程が必要となり、工程が複雑化するという欠点があった。
【０００３】
かかる欠点を解消するために、複数の鍵をその共通支持部（基端部）同士が連結した状態でかつ先端部にいくほど互いの間隙を拡開させて一体成形し、成形後に共通支持部を変形し各鍵を互いに平行にするようにした鍵盤装置の製造方法が既に知られている（日本国特公平１−４３９５９号公報）。
【０００４】
この製造方法の第１の手法では、自由状態で直線状の櫛状の弾性金属板（鍵ユニット製造後は共通支持部の一部を成す）をその櫛側が拡開する方向に円弧状に弾性変形せしめて金型装置にセットする。そして、樹脂の冷却固化と共に、拡開状態にある弾性金属板における櫛部の各歯に各鍵が夫々固着されるように、各鍵を拡開状態で一体成形した後、弾性金属板の弾性変形を解く。これにより、弾性金属板の櫛部に各鍵が一体成形され各鍵が互いに平行にされた鍵ユニットが得られる。
【０００５】
あるいは、この製造方法の第２の手法では、各白鍵の先端にいくほど互いに拡開するように、自由状態で湾曲した連結部（基端部）と白鍵とを一体成形し、成形後、弾性変形により各白鍵が互いに平行状態になるようにして黒鍵をビス止め固定し、全鍵一体の鍵ユニットを得て、これをフレームに組付ける。その際、連結部の後部における各白鍵間にＶ字溝またはＵ字溝を設けておき、連結部の弾性変形を容易にしている。
【０００６】
【発明が解決しようとする課題】
しかしながら、上記従来の製造方法の第１の手法では、弾性変形可能な共通支持部を事前に別途製造しておく必要があり、また、金型装置による成形において弾性金属板を拡開させる工程が必要であるため、工程が複雑であり、工程簡単化の上で改善の余地があった。
【０００７】
また、上記従来の製造方法の第２の手法では、鍵ユニットは連結部が変形された状態でフレームに組付けられるため、製品毎のばらつきにより隣接する鍵間のこすれ感が発生するだけでなく、連結部に弾性変形による歪みが常に残留することになり、製品出荷後長時間経過すると連結部のねじのゆるみ等が発生しやすく、隣接する鍵間のこすれ感が後発的に発生するおそれがある等、品質上問題があった。
【０００８】
本発明の目的は、工程の複雑化や製品品質の悪化を招くことなく金型部材の設計や製造の容易化及び強度や寿命の向上を図ることができる鍵盤装置を提供することにある。
【０００９】
【課題を解決するための手段】
上記目的を達成するために本発明の請求項１の鍵盤装置は、先端部と基端部を有する複数の鍵、該複数の鍵を支持する共通支持部、及び前記各鍵の基端部に設けられ当該鍵と前記共通支持部同士を接続する接続部を有し、前記複数の鍵が前記接続部を介して前記共通支持部に該共通支持部に対して押鍵方向及び鍵並び方向に揺動自在に接続された状態で、且つ前記先端部にいくほど互いの間隙を拡開して前記接続部及び前記共通支持部と一体成形されて構成された少なくとも１つの鍵ユニットと、該鍵ユニットが装着されたフレーム部材と、前記鍵と前記フレーム部材に設けられ、前記接続部を変形させることにより前記複数の鍵を互いに平行にして前記鍵ユニットを前記フレーム部材に係合させる係合手段とを備えたことを特徴とする。
【００１０】
また、前記係合手段は、前記フレーム部材に設けられたガイド手段と、前記各鍵に設けられ前記ガイド手段の対応するものと係合する被ガイド手段とから成り、前記複数の鍵は、前記ガイド手段と前記被ガイド手段との係合により互いに平行にされるようにするのが好ましい（請求項２）。
【００１１】
さらに、前記ガイド手段は、前記被ガイド手段を介して押鍵時における前記複数の鍵の鍵並び方向への揺動を規制するように構成されるのが好ましい（請求項３）。
【００１２】
また、前記ガイド手段と前記被ガイド手段とが前記複数の鍵が互いに平行にされるように面接触状態で当接可能であるのが好ましい（請求項４）。
【００１３】
さらに、前記ガイド手段は、前記フレーム部材に前記各鍵に対応して設けられ、前記鍵ユニットが前記フレーム部材に装着されたときに該鍵の長手方向の軸に平行に延び且つ互いに間隔をおいて間に溝を画成する１対の壁部から成り、前記被ガイド手段は、前記各鍵に設けられ該鍵の長手方向の軸に平行に延びる両側面を有する突起部であって、前記ガイド手段の対応するものの前記１対の壁部間の溝に挿入された突起部から成るようにしてもよい（請求項５）。
【００１４】
また、前記鍵ユニットの前記接続部は、前記複数の鍵が先端部にいくほど互いの間隙が拡開されるように鍵並び方向に屈曲していることが好ましい（請求項６）。
【００１５】
さらに、前記接続部は、前記共通支持部側に位置して、前記鍵の対応するものを鍵並び方向に揺動自在に屈曲可能な垂直部と、前記鍵側に位置して、前記対応する鍵を押鍵方向に揺動自在に屈曲可能な水平部とから成るようにしてもよい（請求項７）。
【００１６】
また、前記被ガイド手段は、前記各鍵は側面を有し、前記被ガイド手段は、前記各鍵に設けられ前記ガイド手段の対応するものと係合可能な第１の突起部と、該第１の突起部から鍵並び方向に、鍵の側面から外側に突設した第２の突起部とから成ることが好ましい（請求項８）。
【００１７】
さらに、前記フレーム部材側に設けられたストッパを含み、前記第２の突起部は、前記各鍵の非押鍵時に前記ストッパに当接して前記各鍵の非押鍵時の極端位置を規制する係止面を有することが好ましい（請求項９）。
【００１８】
また、前記ガイド手段は、前記フレーム部材に前記各鍵に対応して設けられ、前記鍵ユニットが前記フレーム部材に装着されたときに該鍵の長手方向の軸に平行に延び且つ互いに間隔をおいて間に溝を画成する１対の壁部から成り、前記被ガイド手段は、前記各鍵に設けられ該鍵の長手方向の軸に平行に延びる両側面を有する突起部であって、前記ガイド手段の対応するものの前記１対の壁部間の溝に前記両側面が前記ガイド手段の一対の壁部で狭持されて挿入された突起部から成るようにしてもよい（請求項１０）。
【００１９】
請求項１に係る鍵盤装置によれば、鍵ユニットは、該鍵ユニット単体の製造時にはその複数の鍵の先端部にいくほど互いの間隙を拡開して一体成形される。これにより、鍵ユニットを製造するための金型部材の、各鍵の間隙に対応する部分の適当な肉厚を確保することができるので、金型部材の設計や製造の容易化及び強度や寿命の向上を図ることができる。また、前記鍵ユニットを前記フレーム部材に組付ける際には、前記鍵ユニットにおける前記接続部が変形することにより前記複数の鍵が互いに平行にされる。これにより、拡開した複数の鍵を容易に互いに平行にすることができるので、工程の複雑化や製品品質の悪化を回避することができる。
【００２０】
よって、工程の複雑化や製品品質の悪化を招くことなく金型部材の設計や製造の容易化及び強度や寿命の向上を図ることができる。
【００２１】
請求項２に係る鍵盤装置によれば、フレーム部材に設けた前記ガイド手段と複数の鍵に設けた被ガイド手段とが当接することにより前記複数の鍵が互いに平行にされる。これにより、ガイド手段と被ガイド手段とが常に当接するので、各鍵間の適正な隙間を確保することができる。
【００２２】
請求項３に係る鍵盤装置によれば、前記ガイド手段及び被ガイド手段が、従来と同様のいわゆる鍵ガイド機能だけでなく、拡開した複数の鍵を互いに平行にする機能をも兼ねることができ、構成を簡単化することができる。
【００２３】
請求項４に係る鍵盤装置によれば、通常の押鍵操作時にガイド手段と被ガイド手段とが常に同一面において面接触状態で摺接するので、各鍵間の適正な隙間を確保し、押鍵操作時におけるメカノイズを防止することができる。
【００２４】
請求項６に係る鍵盤装置によれば、質量が小さくて復原力が小さい各鍵の接続部を屈曲可能としたので、鍵を容易に互いに平行にすることができ、こすれ感が発生することがない。
【００２５】
請求項８に係る鍵盤装置によれば、鍵の外側に側方向に突出して第２の突起部を形成しているので、鍵製造時の金型をアンダーカットが回避されるように形成でき、もって、金型のコストを低減でき、ひいては鍵盤自体の製造コストを低減できる。
【００２６】
請求項９に係る鍵盤装置によれば、第２の突起部を各鍵の非押鍵時の極端位置を規制する上限ストッパにしているので、構成がコンパクトになり且つより少ない部品点数で製造可能となる。また、一方で、鍵の被ガイド部分と鍵の上限ストッパ用第２の突起部とが隣接されており、両者を鍵本体と共に一体に形成できるので、更に製造コストを低減することができる。
【００２７】
請求項１０に係る鍵盤装置によれば、鍵に設けられた板状の被ガイド手段に対してガイド手段の一対の壁部が鍵の幅方向の両面から面接触して鍵の移動を規制するので、鍵の長手方向軸回りのローリングを防止できる。つまり、安定した押離鍵操作が可能になる。
【００２８】
【発明の実施の形態】
以下、本発明の実施の形態を図面を参照して説明する。
【００２９】
（第１の実施の形態）
図１及び図２は、本発明の第１の実施の形態に係る鍵盤装置における鍵ユニットを示す。図１は同鍵ユニットを上方からみた平面図、図２は前方右側下方からみた斜視図である。
【００３０】
鍵ユニット１は、一体成形により、鍵２、鍵３及び鍵４がそれぞれ接続部５、接続部６及び接続部７を介して共通支持部８に接続されて成る。接続部５は、後半部である接続部垂直部５ａ及び前半部である接続部水平部５ｂから成る。垂直部５ａは鍵２を鍵並び方向に揺動自在にし、水平部５ｂは鍵２を押鍵方向に揺動自在にする。鍵２、３、４は、本実施の形態ではそれぞれＣ鍵、Ｄ鍵、Ｅ鍵として構成される。
【００３１】
接続部６、７の垂直部６ａ、７ａ及び水平部６ｂ、７ｂは、接続部５の垂直部５ａ及び水平部５ｂと同様に構成されている。
【００３２】
鍵３の長手方向の中心軸は共通支持部８に対して略垂直であるのに対して、鍵２の長手方向の中心軸は接続部５の垂直部５ａにて斜め左方に屈曲し、鍵４の長手方向の軸は接続部７の垂直部７ａにて斜め右方に屈曲している。そのため、鍵ユニット１は、自由状態では各鍵２、３、４の互いの間隙、すなわち鍵２と鍵３との間隙９、及び鍵３と鍵４との間隙１０が、その先端部（前方）にいくほど拡開している。
【００３３】
鍵ユニット１は可動型と固定型から成る金型部材（開示せず）で一体成形される。金型部材は、鍵ユニット１の成形後の状態が上記した拡開状態（図１）となるように形成されている。これにより、各間隙９、１０に対応する金型部材のリブ部の肉厚が極度に薄くなることを回避することができる。
【００３４】
各鍵２、３、４の前部には、図２に示すように、各々突起状の被ガイド部１１、被ガイド部１２、被ガイド部１３が下方に一体に垂下延設されている（被ガイド手段、係合手段、第１の突起部）。また、各被ガイド部１１、１２、１３の後部には、小突起部１１Ａ、１２Ａ、１３Ａ（第２の突起部）が一体に形成されている。これら小突起部１１Ａ、１２Ａ、１３Ａは、後方向、且つ側方向（鍵並び方向）にそれぞれ突設されている。各小突起部１１Ａ、１２Ａ、１３Ａは、後述する上限ストッパ１７に非押鍵時に当接するべく鍵本体側に向いた係止面１１ａ、１２ａ、１３ａを有し（図５、図７）、該上限ストッパ１７と当接する当接装置（ａｂｕｔｍｅｎｔ  ｄｅｖｉｃｅ）を構成している。
【００３５】
なお、各小突起部１１Ａ、１２Ａ、１３Ａを各鍵２、３、４の外側に側方向に突出して形成しているので、鍵製造時の金型をアンダーカットが回避されるように形成することができる。
【００３６】
図３〜図６は、本実施の形態に係る鍵盤装置の鍵ユニット１が組付けられた状態を示す部分図である。図３は鍵盤装置を上方からみた平面図、図４は図３のＡ−Ａ線に沿う断面図、図５は図３のＢ−Ｂ線に沿う断面図、図６はガイド部の斜視図をそれぞれ示す。
【００３７】
また、図７は、鍵及びガイド部について図４を拡大して示した図である。
【００３８】
本実施の形態に係る鍵盤装置は、鍵ユニット１がフレーム部１４（フレーム部材）に組付けられて成るが、組付ける際に鍵ユニット１の拡開状態が矯正されて、図３に示すように各鍵２、３、４が互いに平行状態になる。鍵ユニット１の拡開状態の矯正は、後述するように、ガイド部１９及びガイド部２１により被ガイド部１１及び被ガイド部１３を介してなされる。
【００３９】
図４、５に示すように、フレーム部１４の底面１４ａにはスペーサ３０、３１を介してプリント基板１５が固定されている。プリント基板１５には、押鍵動作を検出する鍵スイッチ部１６、各鍵２、３、４の小突起部１１Ａ、１２Ａ、１３Ａの係止面１１ａ、１２ａ、１３ａと当接して各鍵２、３、４の離鍵方向における上限位置を規制する上限ストッパ１７が設けられている。
【００４０】
また、フレーム部１４には、各鍵２、３、４の各被ガイド部１１、１２、１３と当接して各鍵２、３、４の押鍵方向における下限位置を規制する下限ストッパ１８が設けられている。フレーム部１４にはさらに、各被ガイド部１１、１２、１３とそれぞれ係合するガイド部１９、ガイド部２０、ガイド部２１が設けられている（ガイド手段、係合手段）（図４、図７）。各ガイド部１９、２０、２１は、従来の鍵盤装置と同様に、組付け後の押鍵操作時に各鍵２、３、４の鍵並び方向への揺動を規制するいわゆる鍵ガイド機能をも果たすが、それだけでなく、各被ガイド部１１、１２、１３との係合を介して、鍵ユニット１のフレーム部１４への組付け時に鍵ユニット１の拡開状態を矯正する機能をも果たす。
【００４１】
図４、６、及び図７に示すように、ガイド部１９は、フレーム部１４の前部においてフレーム部１４と一体に形成されている。ガイド部１９は、左側壁部１９Ｌ及び右側壁部１９Ｒが互いに間隔をおいてフレーム部１４の底面１４ａに突設されて成り、両壁部１９Ｌ、Ｒ間には溝部１９Ｍが形成される。両壁部１９Ｌ，１９Ｒは、鍵ユニットがフレーム部１４に装着されたときに対応する鍵の長手方向の軸に平行になるようにフレーム１４上に配されている。ガイド部２０及びガイド部２１はガイド部１９と同様に構成され、両壁部２０Ｌ、Ｒにより溝部２０Ｍが、両壁部２１Ｌ、Ｒにより溝部２１Ｍが、それぞれ形成される。各ガイド部１９、２０、２１の高さ及び前後方向の長さは、押鍵動作時に各溝部１９Ｍ、２０Ｍ、２１Ｍと各被ガイド部１１、１２、１３とが係合可能な程度に設定される。
【００４２】
鍵ユニット１をフレーム部１４へ組付ける際には、手作業等により各溝部１９Ｍ、２０Ｍ、２１Ｍに各鍵２、３、４の各被ガイド部１１、１２、１３を挿入し、不図示のネジ等により共通支持部８にて鍵ユニット１をフレーム部１４に固定する。組付けられた鍵ユニット１は、反力により鍵２が左方へ、鍵３が右方へ拡開しようとするため、被ガイド部１１の左側面１１ｂがガイド部左側壁部１９Ｌの右側面１９Ｌａと面接触状態で当接して、鍵２の左端位置が規制される。これにより、鍵２の接続部垂直部５ａにおける屈曲が矯正方向Ｆ１に矯正される。同様に、被ガイド部１３の右側面１３ｃがガイド部右側壁部２１Ｒの左側面２１Ｒａと面接触状態で当接して、鍵４の右端位置が規制される。これにより、鍵４の接続部垂直部７ａにおける屈曲が矯正方向Ｆ２に矯正される。従って、図３に示すように、間隙９及び間隙１０の拡開状態が容易に矯正され、各鍵２、３、４が互いに平行状態になる。
【００４３】
上記面接触状態を確保するため、各ガイド部１９、２０、２１における各溝部１９Ｍ、２０Ｍ、２１Ｍと各被ガイド部１１、１２、１３との位置関係は、次のように設定される。
【００４４】
まず、鍵並び方向の幅に関して、溝部１９Ｍの幅を「Ａ」、被ガイド部１１の幅を「Ｂ」とすると、被ガイド部１１の右側面１１ｃとガイド部右側壁部１９Ｒの左側面１９Ｒａとの間隔（クリアランスＣ）はＣ＝Ａ−Ｂである。
【００４５】
溝部１９Ｍの中心線と被ガイド部１１の中心線との距離（偏心量Ｄ）はクリアランスＣの略半分、すなわちＤ＝（Ａ−Ｂ）／２に設定される。これにより、被ガイド部１１の左側面１１ｂとガイド部左側壁部１９Ｌの右側面１９Ｌａとが面接触状態で当接（通常の押鍵操作時には摺接）すると共に、反当接面側では適当なクリアランスＣが確保される。
【００４６】
溝部２１Ｍと被ガイド部１３との関係は、上記した溝部１９Ｍと被ガイド部１１との関係とは左右対称ではあるが同様に設定される。従って、被ガイド部１３の右側面１３ｃとガイド部右側壁部２１Ｒの左側面２１Ｒａとが面接触状態で当接（通常の押鍵操作時には摺接）すると共に、反当接面側では適当なクリアランスＣが確保される。
【００４７】
溝部２０Ｍと被ガイド部１２は鍵ユニット１の矯正に関与しないため、その関係は上記の場合とは異なり、溝部２０Ｍの中心線と被ガイド部１２の中心線とが略一致している。これにより、被ガイド部１２はガイド部２０に当接することなく常に離間し、被ガイド部１２の両側において適当なクリアランス（合計がＣ）が確保される。
【００４８】
このようにして、間隙９及び間隙１０の矯正は、被ガイド部１１、１３とガイド部１９、２１との面接触状態による片面当接によりなされる。かかる面接触状態は上下方向に各鍵２、３、４が揺動する通常の押鍵動作時にも保持され、被ガイド部１１、１３がガイド部１９、２１に対してスムーズに摺動する。
【００４９】
各溝部１９Ｍ、２０Ｍ、２１Ｍ内において各被ガイド部１１、１２、１３の鍵並び方向の動きが規制されるため、グリッサンド等の押鍵操作時における各鍵２、３、４の鍵並び方向への揺動が適当に規制される（鍵ガイド機能）。また、各鍵間の適正な隙間を確保でき、外観を向上することができる。
【００５０】
本実施の形態によれば、鍵ユニット１は、鍵２及び鍵４が接続部垂直部５ａ、７ａにて斜め左右に屈曲し、各鍵２、３、４がその先端部にいくほど互いの間隙が拡開した状態のものとして金型装置で一体成形されるので、各間隙９、１０に対応する金型部材のリブ部の肉厚が極度に薄くなることを回避することができる。よって、金型部材の設計や製造の容易化及び強度や寿命の向上を図ることができる。
【００５１】
しかも、鍵ユニット１の拡開状態は、質量が小さくて復原力の小さい接続部垂直部５ａ、７ａを変形させることで簡単に矯正することができるので、フレーム部１４への組付け時に各被ガイド部１１、１２、１３を各ガイド部１９、２０、２１に挿入するだけで各鍵２、３、４を互いに平行にすることができ、工程が複雑化することがなく、製品品質にも悪影響を与えない。
【００５２】
また、各溝部１９Ｍ、２０Ｍ、２１Ｍと各被ガイド部１１、１２、１３との位置関係を上述のように適切に設定したので、被ガイド部１１、１３とガイド部１９、２１との片面における面接触状態と適切なクリアランスＣとが常に確保される。従って、押鍵操作時におけるメカノイズを防止することができる。
【００５３】
さらに、鍵ガイド機能のために通常設けられるガイド部１９及び被ガイド部１１等が、鍵ユニット１の拡開状態を矯正する機能を兼ねるようにしたので、構成が簡単である。
【００５４】
なお、本実施の形態では、被ガイド部１１、１３とガイド部１９、２１とが面接触状態で当接／摺接するようにしたが、被ガイド部１１、１３及びガイド部１９、２１のいずれかに突起を設け、互いに点接触状態で当接／摺接するようにしてもよい。
【００５５】
なお、鍵ユニット１の鍵数は上記実施例のような３鍵に限るものではなく、例えばオクターブ（Ｃ鍵〜Ｂ鍵）を単位として構成してもよい。その場合のガイド部及び被ガイド部の関係は、例えばＣ、Ｄ、Ｅ鍵については、上記各実施の形態における鍵２の場合と同様に設定（被ガイド部の左側面がガイド部左側壁部の右側面と面接触状態で当接するように設定）すると共に、Ｇ、Ａ、Ｂ鍵については、上記実施の形態における鍵４の場合と同様に設定（被ガイド部の右側面がガイド部右側壁部の左側面と面接触状態で当接するように設定）し、ユニット中央のＦ鍵については、上記実施の形態における鍵３の場合と同様に設定（被ガイド部がガイド部に当接することなく常に離間するように設定）すればよい。
【００５６】
（第２の実施の形態）
次に、本発明の第２の実施の形態を図８乃至図１０を参照して説明する。図８及び図９は、本実施の形態に係る鍵盤装置の鍵ユニット１が組み付けれられた状態を示す。図１０は、鍵及びガイド部を拡大して示すものである。図８は同鍵盤装置を上方からみた平面図、図９は図８のＢ−Ｂ線に沿う断面図、図１０は図８のＡ−Ａ線に沿う断面拡大図である。これらの図において、上述した第１の実施の形態における要素及び部分に対応するものには同一符号を付して示し、その詳細な説明は省略する。
【００５７】
第２の実施の形態によれば、前記第１の実施の形態に対して、例えば図９に示すガイド部２０のように、ガイド部１９、２０、２１の鍵長手方向における寸法を前記第１の実施の形態におけるものよりも大きく設定し、ガイド部１９、２０、２１と被ガイド部１１、１２、１３との当接面積を広くしたこと、及び、図１０に示すように、各ガイド部１９、２０、２１における左右両壁部１９Ｌ、１９Ｒ；２０Ｌ、２０Ｒ；２１Ｌ、２１Ｒ間の間隔、即ち溝部１９Ｍ，２０Ｍ，２１Ｍの幅を狭くし、これにより、各被ガイド部１１、１２、１３がその左右両側面１１ｂ，１１ｃ；１２ｂ，１２ｃ；１３ｂ，１３ｃが対応するガイド部１９、２０、２１の左右両壁部で狭持された状態（面接触状態）で溝部１９Ｍ，２０Ｍ，２１Ｍに挿入されている点が異なる。このようにガイド部１９、２０、２１及び被ガイド部１１、１２、１３を形成し係合させたことにより、ガイド部の一対の壁部１９Ｌ、１９Ｒ；２０Ｌ、２０Ｒ；２１Ｌ、２１Ｒが鍵２、３、４の幅方向の両面から被ガイド部１１、１２、１３の左右両側面１１ｂ，１１ｃ；１２ｂ，１２ｃ；１３ｂ，１３ｃに広い面積に亘って面接触して鍵の移動を規制するので、鍵の長手方向軸回りのローリングを防止できる。つまり、安定した押離鍵操作が可能になる。尚、各被ガイド部１１、１２、１３の左右両側面１１ｂ，１１ｃ；１２ｂ，１２ｃ；１３ｂ，１３ｃとガイド部１９、２０、２１の左右両壁部との間には押離鍵時のスムーズな摺動を可能にするために僅少のクリアランス（図示せず）が存在するように設定される。
【００５８】
このようにして、間隙９及び間隙１０の矯正は、被ガイド部１１、１３とガイド部１９、２１との面接触状態による両面当接によりなされる。かかる面接触状態は上下方向に各鍵２、３、４が揺動する通常の押鍵動作時にも保持され、被ガイド部１１、１３がガイド部１９、２１に対してスムーズに摺動する。
【００５９】
このスムーズな摺動は、以下に述べる理由によりより一層確実に実現される。即ち、図１０を参照すると、被ガイド部先端部１１ｓ，１２ｓ，１３ｓは、鍵の押離鍵方向には前記接続部５、６、７から遠く、且つ前記ガイド部１９、２０、２１の頂部からも遠い位置に形成され、接続部、ガイド部の頂部、被ガイド部先端部の順に並んで設けられており、これにより、鍵長手方向の軸回りにみたローリングＲが生じにくい構造を形成している。これを図１０の右鍵部のみに着目して説明する。接続部７（図１、３参照）では、常に付勢力Ｆｒが矢印方向に発生しているので、ガイド部２１の頂部２１Ｔの端部２１ＴＰを中心に時計回りの回転モーメントＭが発生しており、これを規制するように前記被ガイド部先端部１３ｓにて壁部側面２１Ｌａを押すことで釣り合っている（反回転モーメントＭが発生してバランスしていると考えることができる）。
【００６０】
従って、前記端部２１ＴＰを中心に見て力Ｆｒの発生する位置よりできるだけ遠い位置に力Ｆｒを打ち消す部位を設けた方がよい。この意味において、この部位として前記先端部１３ｓが作用している。このことを、見方を変えて接続部７を中心に見た場合、鍵揺動時に、力Ｆｒに起因して発生するローリングが発生しにくくなっていることが分かる。接続部７の軸回りにローリングが発生しにくい鍵盤構造であるなら、押離鍵時にスムーズな鍵揺動を実現できる。
【００６１】
【発明の効果】
以上説明したように、本発明の請求項１に係る鍵盤装置によれば、工程の複雑化や製品品質の悪化を招くことなく金型部材の設計や製造の容易化及び強度や寿命の向上を図ることができる。
【００６２】
請求項２に係る鍵盤装置によれば、ガイド手段と被ガイド手段とが常に当接するので、各鍵間の適正な隙間を確保することができる。
【００６３】
請求項３に係る鍵盤装置によれば、構成を簡単化することができる。
【００６４】
請求項４に係る鍵盤装置によれば、各鍵間の適正な隙間を確保し、押鍵操作時におけるメカノイズを防止することができる。
【００６５】
請求項６に係る鍵盤装置によれば、鍵を容易に互いに平行にすることができ、こすれ感が発生することがない。
【００６６】
請求項８に係る鍵盤装置によれば、金型のコストを低減でき、ひいては鍵盤自体の製造コストを低減できる。
【００６７】
請求項９に係る鍵盤装置によれば、構成がコンパクトになり且つより少ない部品点数で製造可能となる。また、製造コストを低減することができる。
【００６８】
請求項１０に係る鍵盤装置によれば、鍵の長手方向軸回りのローリングを防止できる。つまり、安定した押離鍵操作が可能になる。
【図面の簡単な説明】
【図１】本発明の第１の実施の形態に係る鍵盤装置における鍵ユニットを上方からみた平面図である。
【図２】同実施の形態に係る鍵盤装置における鍵ユニットを前方右側下方からみた斜視図である。
【図３】同形態に係る鍵盤装置の鍵ユニットが組付けられた状態を示す部分図であり、鍵盤装置を上方からみた平面図である。
【図４】同Ａ−Ａ線に沿う断面図である。
【図５】同Ｂ−Ｂ線に沿う断面図である。
【図６】同ガイド部の斜視図である。
【図７】同形態に係る鍵盤装置の鍵及びガイド部について図４を拡大して示した図である。
【図８】本発明の第２の実施の形態に係る鍵盤装置の鍵ユニットを示す図３と同様の図である。
【図９】同Ｂ−Ｂ線に沿う断面図である。
【図１０】同形態に係る鍵盤装置の鍵及びガイド部を示す図７と同様の図である。
【符号の説明】
１  鍵ユニット
２  鍵
５  接続部
５ａ  接続部垂直部
５ｂ  接続部水平部
８  共通支持部
９  間隙
１１  被ガイド部
１１Ａ  小突起部
１１ａ  係止面
１１ｂ  左側面
１１ｃ  右側面
１４  フレーム部
１９  ガイド部
１９Ｌ  左側壁部
１９Ｒ  右側壁部
１９Ｌａ  右側面
１９Ｒａ  左側面
【図１】
0003728936.tif 000002
【図２】
0003728936.tif 000003
【図３】
0003728936.tif 000004
【図４】
0003728936.tif 000005
【図５】
0003728936.tif 000006
【図６】
0003728936.tif 000007
【図７】
0003728936.tif 000008
【図８】
0003728936.tif 000009
【図９】
0003728936.tif 000010
【図１０】
0003728936.tif 000011